(57)【要約】【課題】圧力損失が小さいコンパクトで高性能な蒸気乾燥器を提供する。【解決手段】実施形態による蒸気乾燥器１は、蒸気を下方から流入させ上方から流出させるように流入部分から流出部分に向けて延びたケーシング１１と、ケーシング１１内の蒸気通路に千鳥状に設けられて、分離された液滴のドレンを受けとめて保持して移送する、それぞれが水平方向に広がりをもって配置され、ドレン移送方向に延びた複数のＶ字トレー４と、を備える。蒸気乾燥器１は、分離された液滴が集合したドレンを収集して底部から排出する上下方向に延びるドレンヘッダをさらに備えてもよい。また、Ｖ字トレー４は、ドレンヘッダに向かってドレン勾配を有しドレンヘッダにドレンを排出することでもよい。【選択図】図６
2014139523.tif 000002
【特許請求の範囲】
【請求項１】
蒸気の中に含まれる液滴を分離して蒸気の湿り度を低減する蒸気乾燥器において、
蒸気を下方から流入させ上方から流出させるように流入部分から流出部分に向けて延びたケーシングと、
前記ケーシング内の蒸気通路に千鳥状に設けられて、分離された液滴のドレンを受けとめて保持して移送する、それぞれが水平方向に広がりをもって配置され、前記ドレン移送方向に延びた複数のトレーと、
を備えることを特徴とする蒸気乾燥器。
【請求項２】
前記分離された液滴が集合したドレンを収集して底部から排出する上下方向に延びるドレンヘッダをさらに備えることを特徴とする請求項１に記載の蒸気乾燥器。
【請求項３】
前記トレーは、前記ドレンヘッダに向かってドレン勾配を有し前記ドレンヘッダに前記ドレンを排出することを特徴とする請求項２に記載の蒸気乾燥器。
【請求項４】
前記トレーは、長手方向に沿って両側に側板を有することを特徴とする請求項１ないし請求項３のいずれか一項に記載の蒸気乾燥器。
【請求項５】
前記ケーシング内に設けられて前記トレーとの間で前記蒸気が下方から流入して上方へ流出するまでの流路を構成する上下方向に延びた複数の仕切り板をさらに備えることを特徴とする請求項１ないし請求項４のいずれか一項に記載の蒸気乾燥器。
【請求項６】
前記トレーの底部は幅方向に水平であることを特徴とする請求項１ないし請求項３のいずれか一項に記載の蒸気乾燥器。
【請求項７】
前記トレーの底部は幅方向に傾斜していることを特徴とする請求項１ないし請求項３のいずれか一項に記載の蒸気乾燥器。
【請求項８】
前記トレーの下面に取り付けられて前記トレーの長手方向に沿って延びて前記液滴を捕捉して長手方向に流すポケットをさらに備えることを特徴とする請求項１ないし請求項７のいずれか一項に記載の蒸気乾燥器。
【請求項９】
前記ポケットは、底部にドレンを排出する複数のポケットドレン孔を有することを特徴とする請求項８に記載の蒸気乾燥器。
【請求項１０】
前記トレー内の前記ドレンからのドレンを受け入れて前記ドレンヘッダまで移送するドレン移送部をさらに備えて、
鉛直方向の最下段に設けられた前記ポケットの前記ポケットドレン孔は、前記ドレン移送部に接続される、
ことを特徴とする請求項９に記載の蒸気乾燥器。
【請求項１１】
前記ポケットは、前記蒸気の流入部分近くに設けられたポケットほど深さが深くなることを特徴とする請求項８ないし請求項１０のいずれか一項に記載の蒸気乾燥器。
【請求項１２】
前記トレー相互間の鉛直方向の間隔は、前記蒸気の流入部分に近いほど広くなることを特徴とする請求項８ないし請求項１１のいずれか一項に記載の蒸気乾燥器。
【請求項１３】
前記ケーシング内に設けられて前記トレーとの間で前記蒸気が下方から流入して上方へ流出するまでの流路を構成する上下方向に延びた複数の仕切り板をさらに備える、
ことを特徴とする請求項６または請求項７に記載の蒸気乾燥器。
【請求項１４】
前記トレー内の前記ドレンを受け入れて前記ドレンヘッダまで移送するドレン移送部をさらに備えて、
前記トレーは、前記仕切り板との接合部近傍であって前記接合部より上部に前記トレーの長手方向に沿って互いに間隔をあけて配されて、前記ドレン移送部に接続される複数のトレードレン孔を有する、
ことを特徴とする請求項１３に記載の蒸気乾燥器。
【請求項１５】
前記トレー内の前記ドレンを受け入れて前記ドレンヘッダまで移送するドレン移送部をさらに備えて、
前記仕切り板は、前記トレーとの接合部近傍であって前記接合部より上部に前記トレーの長手方向に沿って互いに間隔をあけて配されて、前記ドレン移送部に接続される複数の仕切り板ドレン孔を有する、
ことを特徴とする請求項１３に記載の蒸気乾燥器。
【発明の詳細な説明】
【技術分野】
【０００１】
本発明の実施形態は、蒸気乾燥器に関する。
【背景技術】
【０００２】
一般に、加圧水型原子炉（ＰＷＲ）の蒸気発生器や沸騰水型原子炉（ＢＷＲ）で発生した蒸気は湿り蒸気であり、湿分分離器で湿分を除去し、蒸気乾燥器で湿り蒸気中に浮遊する液滴を除去した後に、蒸気タービンに供給される。すなわち、蒸気乾燥器は、蒸気タービンにおいて翼のエロージョン、および動翼との衝突で生じる制動損失や蒸気との速度差で生じる摩擦損失の原因となる液滴を除去する機能を有する。
【０００３】
このような蒸気乾燥器としては、慣性力により蒸気から液滴を分離する原理のものが一般的に使用されている。これは、気水分離器を出て流入した蒸気を、一旦フードと呼ばれる蒸気乾燥器入口部に流入させた後、波板型ベーンを複数組み合わせて水平方向に入口側から出口側に向かうジグザグ流路を流して液滴を除去する構成である。
【０００４】
流路がジグザグに屈折する部分において、蒸気流れに含まれる液滴が遠心力によりベーンの壁面に付着し、液膜となって壁面にあけられたベーンポケットに流入する。ベーンポケットに入った液膜は互いに合体しつつ、重力で垂直下方に流下してドレン樋を経てドレンチャンネルに集められた後、原子炉水面に排水する構成になっている。
【０００５】
このように構成された蒸気乾燥器では、一般に径が大きい液滴に関しては、その質量により屈折部で大きな遠心力が働くため捕獲され易いが、径が小さい液滴に関しては、その質量が小さいことから遠心力が小さく捕獲されにくい。このため、入口側に位置するベーンポケットを小さく、出口側に位置するベーンポケットを大きくして小径の蒸気を捉えやすくする技術や、原子炉圧力容器の内周に沿って蒸気乾燥器を設置し、燃料交換などのメンテナンス性を向上させる技術が知られている。
【先行技術文献】
【特許文献】
【０００６】
【特許文献１】特開平５−２３２２７２号公報
【特許文献２】特開平６−２２２１９０号公報
【発明の概要】
【発明が解決しようとする課題】
【０００７】
上述した従来の蒸気乾燥器においては、複数の波型ベーンをある間隔をおいて垂直に配置し、その間に湿り蒸気を水平に流通させる構造となっている。このように、湿分分離エレメントへの湿り蒸気の流入面が、垂直方向に並列にあることから、それぞれに水平に流入させる必要がある。
【０００８】
このため、気水分離器から上方に流出した蒸気を水平に曲げるフードと呼ばれる空間を設けている。このような蒸気乾燥器においては、鉛直方向の高さは２ｍないし３ｍ程度あり、物量が多く、この結果、原子炉圧力容器の高さも高くせざるを得なかった。
【０００９】
本発明の実施形態は、上述した課題を解決するためになされたものであり、圧力損失が小さいコンパクトで高性能な蒸気乾燥器を提供することを目的とする。
【課題を解決するための手段】
【００１０】
上述の目的を達成するため、本発明の実施形態は、蒸気の中に含まれる液滴を分離して蒸気の湿り度を低減する蒸気乾燥器において、蒸気を下方から流入させ上方から流出させるように流入部分から流出部分に向けて延びたケーシングと、前記ケーシング内の蒸気通路に千鳥状に設けられて、分離された液滴のドレンを受けとめて保持して移送する、それぞれが水平方向に広がりをもって配置され、前記ドレン移送方向に延びた複数のトレーと、を備えることを特徴とする。
【発明の効果】
【００１１】
本発明の実施形態によれば、圧力損失が小さい蒸気乾燥器を提供することができる。
【図面の簡単な説明】
【００１２】
【図１】本発明の第１の実施形態に係る蒸気乾燥器を含む原子炉圧力容器の立断面図である。
【図２】本発明の第１の実施形態に係る蒸気乾燥器の図１の第II−II線矢視平断面図である。
【図３】本発明の第１の実施形態に係る蒸気乾燥器の図２の第III−III線矢視正断面図である。
【図４】本発明の第１の実施形態に係る蒸気乾燥器の図３の第IV−IV線矢視正断面図である。
【図５】本発明の第２の実施形態に係る蒸気乾燥器の図３の第IV−IV線矢視正断面図である。
【図６】本発明の第３の実施形態に係る蒸気乾燥器の図３の第IV−IV線矢視正断面図である。
【図７】本発明の第４の実施形態に係る蒸気乾燥器の図３の第IV−IV線矢視正断面図である。
【図８】本発明の第５の実施形態に係る蒸気乾燥器の図３の第IV−IV線矢視正断面図である。
【図９】本発明の第６の実施形態に係る蒸気乾燥器の図３の第IV−IV線矢視正断面図である。
【図１０】本発明の第７の実施形態に係る蒸気乾燥器の図３の第IV−IV線矢視正断面図である。
【図１１】本発明の第８の実施形態に係る蒸気乾燥器の湿分分離エレメントを示す斜視図である。
【図１２】本発明の第９の実施形態に係る蒸気乾燥器の湿分分離エレメントを示す斜視図である。
【図１３】本発明の第１０の実施形態に係る蒸気乾燥器の湿分分離エレメントを示す斜視図である。
【発明を実施するための形態】
【００１３】
以下、図面を参照して本発明の実施形態に係る蒸気乾燥器について説明する。ここで、互いに同一または類似の部分には、共通の符号を付して、重複説明は省略する。
【００１４】
［第１の実施形態］
図１は、本発明の第１の実施形態に係る蒸気乾燥器を含む原子炉圧力容器の立断面図である。
【００１５】
原子炉圧力容器４０は、炉心を構成する複数の燃料集合体３６および燃料集合体３６を包囲するシュラウド３７を収納している。シュラウド３７は、燃料集合体３６の上方にシュラウドヘッド３５を有する。シュラウドヘッド３５の上方には気水分離器３４、気水分離器３４のさらに上方には乾燥器スカート１２を支持部とする蒸気乾燥器１が配されている。
【００１６】
原子炉圧力容器４０の下部を、複数の制御棒駆動機構３９および複数の再循環ポンプ３８が貫通している。また、原子炉圧力容器４０の上部側面には複数の主蒸気ノズル３３が設けられている。
【００１７】
図２は、本発明の第１の実施形態に係る蒸気乾燥器の図１の第II−II線矢視平断面図である。また、図３は、本発明の第１の実施形態に係る蒸気乾燥器の図２の第III−III線矢視正断面図である。
【００１８】
蒸気乾燥器１は、水平断面上の長さの異なる複数の水平断面が長方形の蒸気乾燥器ユニット１ａを有する。各蒸気乾燥器ユニット１ａの長さは、原子炉圧力容器４０の内周との間隔を確保するために、それぞれの蒸気乾燥器ユニット１ａの水平の長手方向両端部すなわち原子炉圧力容器４０の内壁面の近くにドレンヘッダ１４を有している。ドレンヘッダ１４の排出口には、排出トレー２０が接続され、ドレンヘッダ１４に集まったドレン水を原子炉圧力容器４０の内壁面側に導く。
【００１９】
各蒸気乾燥器ユニット１ａは、互いに仕切り板２によって仕切られている。また、仕切り板２は、各蒸気乾燥器ユニット１ａの長手方向の側壁を形成している。
【００２０】
各蒸気乾燥器ユニット１ａは、中央部分からそれぞれドレンヘッダ１４に向かってドレン勾配を有している。すなわちドレンヘッダ１４にドレンが流れるための傾斜を有している。
【００２１】
図４は、本発明の第１の実施形態に係る蒸気乾燥器の図３の第IV−IV線矢視正断面図である。ケーシング１１の下部には入口開口１１ａが設けられており、また、ケーシング１１の上部には出口開口１１ｂが設けられている。
【００２２】
ケーシング１１内には、複数の水平トレー３が配設されている。それぞれの水平トレー３は、図４の手前から奥に向かって緩やかに傾斜して延びている。水平トレー３は、長手方向に垂直な断面上では、図４に示すように互いに千鳥状に配設されている。また、長手方向には、互いにほぼ平行に配設されている。また、水平トレー３は、仕切り板２によって支持されている。
【００２３】
長手方向に垂直な断面において、水平トレー３の底部は、水平トレー３の幅方向に水平である。水平トレー３は、長手方向に沿って、両側に側板３ａを有する。側板３ａの高さは、捕捉されたドレンの保持および長手方向への移送に必要な高さを確保する点と、蒸気の流路面積を確保する点の両者を考慮して設定される。
【００２４】
以上のように構成された本実施形態においては、燃料集合体３６からの発熱により生成された蒸気は、シュラウドヘッド３５を上方に抜けて、気水分離器３４で気水分離されて湿り蒸気となって蒸気乾燥器１に到達する。
【００２５】
蒸気乾燥器１の各蒸気乾燥器ユニット１ａに到達した湿り蒸気は、そのまま方向を転換することなく、入口開口１１ａから流入する。入口開口１１ａから流入した湿り蒸気は、千鳥配置された水平トレー３間の流路を蛇行しながら、流路に沿って上昇し、最終的には、出口開口１１ｂから上方へ流出する。
【００２６】
蒸気が水平トレー３間の流路を蛇行しながら上昇する際に、蒸気中に含まれる液滴はその遠心力により蒸気の流れから外れて主として水平トレー３の底板の下面あるいは側板３ａに衝突し捕捉される。
【００２７】
水平トレー３の底板の下面あるいは側板３ａに捕捉された液滴のほとんどは、衝突した水平トレー３の下側に設けられた他の水平トレー３の底板上に落下して保持される。これらの液滴が集合したドレンは、水平トレー３のドレン勾配によってドレンヘッダ１４に移送される。
【００２８】
移送されたドレンは、ドレンヘッダ１４に集められた後に、排出トレー２０によりドレンヘッダ１４外に導かれて、原子炉圧力容器４０の内壁との間から原子炉圧力容器４０内を落下する。
【００２９】
以上のように、気水分離器３４を出た湿り蒸気は、方向を変えることなく蒸気乾燥器１の入口開口１１ａに下方から流入し、最終的に出口開口１１ｂから上方に流出する。
【００３０】
従来の蒸気乾燥器の構成は、全体の流れが上向きから水平方向に直角に変化し、水平方向の流れの入口に多孔板を有するといった大きな圧力損失要因を有していた。また、多孔板へ流入するまでの上方に延びた蒸気フードのような空間を有しているため上下の高さを必要としていた。
【００３１】
一方、本実施形態では、このような大きな圧力損失要因がない。また、蒸気フードを有さずに、蛇行しながら基本的には上方への流れであるため、コンパクトな構成を実現できる。
【００３２】
以上のように構成された本実施形態によれば、圧力損失が小さいコンパクトで高性能な蒸気乾燥器１を提供することができる。
【００３３】
［第２の実施形態］
図５は、本発明の第２の実施形態に係る蒸気乾燥器の図３の第IV−IV線矢視正断面図である。
【００３４】
本実施形態は、第１の実施形態の変形である。第１の実施形態における水平トレー３に代えて、複数のＶ字トレー４および複数の逆Ｖ字トレー５を有する。それぞれのＶ字トレー４および逆Ｖ字トレー５は、図５の手前から奥に緩やかに傾斜して延びている。Ｖ字トレー４および逆Ｖ字トレー５は、長手方向に垂直な断面上では、図５に示すようにＶ字トレー４と逆Ｖ字トレー５とが交互に千鳥状に配設されている。また、長手方向には、互いにほぼ平行に配設されている。また、Ｖ字トレー４および逆Ｖ字トレー５は、それぞれ仕切り板２によって支持されている。
【００３５】
Ｖ字トレー４は、仕切り板２に取り付けられて、仕切り板２から離れるに従い高くなる方向の傾斜を有する。したがって、分離された液滴を傾斜に沿って受け止める方向に取り付けられている。また逆Ｖ字トレー５は、仕切り板２に取り付けられて、仕切り板２から離れるに従って低くなる方向の傾斜を有する。したがって、分離された液滴を傾斜に沿って落下させる方向に取り付けられている。
【００３６】
逆Ｖ字トレー５の上表面に付着した液滴は、逆Ｖ字トレー５の上表面に沿って流下後、幅方向の端部から下方のＶ字トレー４上に落下する。逆Ｖ字トレー５の下表面に付着した液滴は、逆Ｖ字トレー５の下表面に沿って流下後に幅方向の端部から下方のＶ字トレー４上に落下するか、あるいは、下表面に沿って流下中に下表面から剥離して下方のＶ字トレー４上に落下する。
【００３７】
Ｖ字トレー４上では、受け止められた液滴の集合であるドレン水が、Ｖ字トレー４の長手方向に移送される。
【００３８】
以上のように構成された本実施形態は、蒸気の流れに対しては障害となる物が少なく、配置上も上下の間隔を狭めることができ、さらに小さい圧力損失でさらにコンパクトな構成を実現できる。
【００３９】
［第３の実施形態］
図６は、本発明の第３の実施形態に係る蒸気乾燥器の図３の第IV−IV線矢視正断面図である。
【００４０】
本実施形態は、第２の実施形態の変形である。本実施形態におけるトレーは、すべてＶ字トレー４である。また、Ｖ字トレー４の幅方向の両端には下方向に向いたポケット６が設けられている。ポケット６は、捕獲した液滴の集合であるドレン水を保持するような形状であり、Ｖ字トレー４に沿って長手方向に延びている。
【００４１】
本実施形態においては、Ｖ字トレー４であるため、ポケット６に蒸気を導きやすくなっており、さらに確実に蒸気から液滴を分離することができる。また、ポケット６からドレン水があふれても、Ｖ字トレー４により受け止められ、ドレン水の入口開口１１ａへの戻り量を抑制することができ、さらに高性能な蒸気乾燥器１を提供することができる。
【００４２】
［第４の実施形態］
図７は、本発明の第４の実施形態に係る蒸気乾燥器の図３の第IV−IV線矢視正断面図である。
【００４３】
本実施形態は、第２および第３の実施形態の変形である。第３の実施形態では、トレーは全てＶ字トレー４であったが、本実施形態では、第２の実施形態と同様に、Ｖ字トレー４と逆Ｖ字トレー５とが蒸気の流れ方向に交互に、千鳥状に配設されている。なお、逆Ｖ字トレー５は、図７では表示していない支持構造物により支持されている。
【００４４】
このように構成された本実施形態においては、逆Ｖ字トレー５が、蒸気流路の中央に設けられているため、上昇した蒸気流は必ず中央の逆Ｖ字トレー５に衝突する。その後、両端に分かれてポケット６に衝突することになり、さらに、液滴の分離が確実となり、さらに高性能な蒸気乾燥器１を提供することができる。
【００４５】
［第５の実施形態］
図８は、本発明の第５の実施形態に係る蒸気乾燥器の図３の第IV−IV線矢視正断面図である。
【００４６】
本実施形態は、第３または第４の実施形態の変形である。本実施形態においては、Ｖ字トレー４や逆Ｖ字トレー５に代えて水平トレー３が設けられている。水平トレー３の両端にポケット６が設けられている。水平トレー３の端部に設けられたポケット６も水平に取り付けられている。
【００４７】
このように構成された本実施形態においては、水平トレー３およびポケット６内は、保有しうるドレン水の量を多くすることができ、あるいは、所定のドレン水量に対する水平トレー３の側板３ａおよびポケット６の高さを低くすることができ、高さの低いコンパクトな蒸気乾燥器１を提供することができる。
【００４８】
［第６の実施形態］
図９は、本発明の第６の実施形態に係る蒸気乾燥器の図３の第IV−IV線矢視正断面図である。
【００４９】
本実施形態は、第５の実施形態の変形である。本実施形態においては、最下段のポケット６を除き、下から２段目以上のそれぞれのポケット６の底部にポケットドレン孔７が設けられている。ポケットドレン孔７から落下したドレンは、その下側に設けられた水平トレー３によって捕捉される。
【００５０】
このようにして構成された本実施形態においては、ポケット６に捕獲された液滴の集合であるドレン水のうち、ポケット６で移送しなければならないドレン水を減少させることができる。
【００５１】
このため、液滴の捕獲量が水平トレー３よりもポケット６の方が多い場合でも、ドレン水の移送は、底面積の大きな水平トレー３が受け持つことにより、ポケット６の高さを高くする必要がなく、高さ方向の寸法をコンパクトにすることができる。
【００５２】
また、それぞれの箇所のポケットドレン孔７を、長手方向に間隔を密にして並べて配設すれば、蒸気は、ポケットドレン孔７から下方に散布される液滴の近傍を通過することになり、蒸気中の液滴除去が促進される効果を有する。
【００５３】
以上のように、本実施形態では、コンパクトで高効率の蒸気乾燥器１を提供することができる。
【００５４】
［第７の実施形態］
図１０は、本発明の第７の実施形態に係る蒸気乾燥器の図３の第IV−IV線矢視正断面図である。
【００５５】
本実施形態は、第６の実施形態の変形である。蒸気の流れに従って、蒸気中の液滴の割合は減少するので、液滴の分離量は減少していく。したがって、入口に近い下方のポケット６ほどその深さが深くなっている。
【００５６】
また、これに対応して、上下に隣接する水平トレー３の相互の間隔は、下方に下がるにしたがって、広くなっている。すなわち、蒸気流路が広くなっている。
【００５７】
このように構成された本実施形態においては、ポケットドレン孔７から落下するドレン量が最も多い下方ほど、蒸気流路が広くなっていることにより、蒸気通路の圧力損失がそれぞれの高さでほぼ均一となり、全体としての圧力損失が低く抑えられる。
【００５８】
以上のように構成された本実施形態によれば、圧力損失が小さい蒸気乾燥器１を提供することができる。
【００５９】
［第８の実施形態］
図１１は、本発明の第８の実施形態に係る蒸気乾燥器の湿分分離エレメントを示す斜視図である。
【００６０】
本実施形態は、第２の実施形態の変形である。本実施形態においては、Ｖ字トレー４が取り付けられた仕切り板２の下部に、仕切り板２の長手方向に沿ってわずかに傾斜して延びたドレン移送部１８ａが設けられている。また、Ｖ字トレー４には、仕切り板２に近い部分、すなわち受け止められたドレン水の最も底部付近にトレードレン孔２１が、長手方向に間隔をあけて設けられている。仕切り板２の最下部は、ドレン移送部１８ａの中央と接続されている。
【００６１】
受け止め方向に設けられたＶ字トレー４内のドレン水は、Ｖ字トレー４の長手方向に移送されるが、相当量が、その途中でトレードレン孔２１から流出して、仕切り板２の壁面に沿って落下する。図示していないが、上方のＶ字トレー４からも仕切り板２の壁面を伝って下側のＶ字トレー４に流入する。
【００６２】
最下段の受け止め方向に設けられたＶ字トレー４のトレードレン孔２１から流出して仕切り板２の壁面を伝って落下したドレン水は、ドレン移送部１８ａ内に到達する。
【００６３】
このように構成された本実施形態では、受け止め方向に設けられたＶ字トレー４およびドレン移送部１８ａの両者でドレンを移送するため、ドレン移送能力が向上し、Ｖ字トレー４からドレン水が溢れて、上昇する蒸気中に液滴を再度混入させ分離効率を低下させることなく、高効率の蒸気乾燥器１を提供することができる。
【００６４】
［第９の実施形態］
図１２は、本発明の第９の実施形態に係る蒸気乾燥器の湿分分離エレメントを示す斜視図である。
【００６５】
本実施形態は、第８の実施形態の変形である。本実施形態においては、第８の実施形態におけるドレン移送部１８ａに代えてドレン移送部１８ｂが設けられている。また、ドレン移送部１８ｂと仕切り板２の最下部の間に間隙が確保されている。
【００６６】
このため、仕切り板２の両側の面を伝って落下してくるドレン水は、ドレン移送部１８ｂで合流する。これによって、仕切り板２の両側の面を伝って落下してくるドレン水の量がアンバランスでも、ドレン移送部１８ｂの保有容量を有効に使用することができ、ドレン移送部１８ｂからのドレン水の溢水に対する余裕を確保することができる。
【００６７】
このように構成された本実施形態では、受け止め方向に設けられたＶ字トレー４およびドレン移送部１８ｂの両者でドレンを移送するため、ドレン移送能力が向上し、Ｖ字トレー４からドレン水が溢れて、上昇する蒸気中に液滴を再度混入させ分離効率を低下させることがない。また、ドレン移送部１８ｂのドレン水保有容量を有効に使用することができる。この結果、高効率の蒸気乾燥器１を提供することができる。
【００６８】
［第１０の実施形態］
図１３は、本発明の第１０の実施形態に係る蒸気乾燥器の湿分分離エレメントを示す斜視図である。
【００６９】
本実施形態は、第８および第９の実施形態の変形である。本実施形態においては、仕切り板２が二重に設けられている。二重に設けられた仕切り板２の下部は底板２ａを有し、ドレン水を保持できるように形成されている。
【００７０】
また、Ｖ字トレー４に沿って長手方向にわずかに傾斜して延びたドレン移送部１８ｃが設けられている。また、底板２ａには、長手方向に間隔をあけて連絡管２ｂが接続され下方に延びている。連絡管２ｂから流出したドレン水は、ドレン移送部１８ｃに流入するように形成されている。
【００７１】
このように構成された本実施形態では、ドレンの移送を、受け止め方向に設けられたＶ字トレー４およびドレン移送部１８ｃに加えて、仕切り板２間の空間でも行うことができるため、ドレン移送能力が大幅に向上する。この結果、高効率の蒸気乾燥器１を提供することができる。
【００７２】
［その他の実施形態］
以上、本発明のいくつかの実施形態を説明したが、これらの実施形態は、例として提示したものであり、発明の範囲を限定することは意図していない。
【００７３】
また、各実施形態の特徴を組み合わせてもよい。たとえば、第８ないし第１０の実施形態は、Ｖ字トレー４を有する第２の実施形態との組み合わせで説明したが、第１、第３ないし第７の実施形態と組み合わせてもよい。
【００７４】
さらに、これらの実施形態は、その他の様々な形態で実施されることが可能であり、発明の要旨を逸脱しない範囲で、種々の省略、置き換え、変更を行うことができる。
【００７５】
これら実施形態やその変形は、発明の範囲や要旨に含まれると同様に、特許請求の範囲に記載された発明とその均等の範囲に含まれるものである。
【符号の説明】
【００７６】
１…蒸気乾燥器、１ａ…蒸気乾燥器ユニット、２…仕切り板、２ａ…底板、２ｂ…連絡管、３…水平トレー、３ａ…側板、４…Ｖ字トレー、５…逆Ｖ字トレー、６…ポケット、７…ポケットドレン孔、１１…ケーシング、１１ａ…入口開口、１１ｂ…出口開口、１２…乾燥器スカート、１４…ドレンヘッダ、１８ａ、１８ｂ、１８ｃ…ドレン移送部、２０…排出トレー、２１…トレードレン孔、２２…仕切り板ドレン孔、３３…主蒸気ノズル、３４…気水分離器、３５…シュラウドヘッド、３６…燃料集合体、３７…シュラウド、３８…再循環ポンプ、３９…制御棒駆動機構、４０…原子炉圧力容器
【図１】
2014139523.tif 000003
【図２】
2014139523.tif 000004
【図３】
2014139523.tif 000005
【図４】
2014139523.tif 000006
【図５】
2014139523.tif 000007
【図６】
2014139523.tif 000008
【図７】
2014139523.tif 000009
【図８】
2014139523.tif 000010
【図９】
2014139523.tif 000011
【図１０】
2014139523.tif 000012
【図１１】
2014139523.tif 000013
【図１２】
2014139523.tif 000014
【図１３】
2014139523.tif 000015